(57)【要約】      （修正有）【課題】保存安定性に優れるとともに、優れた抗菌効果を発揮できる衣料用液体漂白性組成物の提供。【解決手段】過酸化水素、ビグアニド塩化合物、下記ｃ１〜ｃ３から選ばれる非イオン性界面活性剤、および水溶性ポリマーとを含有する組成物。ｃ１：炭素数が１２〜１６、ＨＬＢが１１．０以上のアルコールエトキシレート。ｃ２：式(１)で表される化合物。ｃ３：式(２)で表される化合物。2013116970.tif 0000172013116970.tif 000018【選択図】なし【特許請求の範囲】
【請求項１】
過酸化水素（Ａ）と、
ビグアニド塩化合物（Ｂ）と、
下記（ｃ１）〜（ｃ３）よりなる群から選ばれる１種以上の非イオン性界面活性剤（Ｃ）と、
アルキレンテレフタレート単位および／またはアルキレンイソフタレート単位と、オキシアルキレン単位とを有する水溶性ポリマー（Ｄ）とを含有することを特徴とする衣料用液体漂白性組成物。
（ｃ１）：オキシエチレン基を除く炭素数が１２〜１６、ＨＬＢが１１．０以上のアルコールエトキシレート。
（ｃ２）：下記一般式（１）で表される、ＨＬＢが１１．０以上の化合物。
（ｃ３）：下記一般式（２）で表される化合物。
【化１】
2013116970.tif 000015
（式（１）中、Ｒ１は炭素数１１〜１５の炭化水素基であり、Ｒ２は水素原子または炭素数１〜２の炭化水素基であり、ＥＯはオキシエチレン基であり、ｋはＥＯの平均付加モル数を示す。）
【化２】
2013116970.tif 000016
（式（２）中、Ｒ３は炭化水素基であり、Ｒ４は水素原子または炭素数１〜３の炭化水素基であり、−Ｘ−は−Ｏ−または−ＣＯＯ−であり、Ｒ３およびＸの炭素数の合計が８〜２２であり、ＥＯはオキシエチレン基であり、ＰＯはオキシプロピレン基であり、ｍはＥＯの平均付加モル数を示す５〜２５の数であり、ｎはＰＯの平均付加モル数を示す１〜５の数である。）
【発明の詳細な説明】
【技術分野】
【０００１】
本発明は、衣料用液体漂白性組成物に関する。
【背景技術】
【０００２】
衣料用の漂白性組成物（漂白剤組成物、漂白洗剤組成物等）としては、例えば過酸化水素や界面活性剤が配合された液体酸素系漂白剤が知られている。
特に、油性シミ汚れに対して除去効果の高い液体酸素系漂白剤には、界面活性剤として疎水性の高い非イオン性界面活性剤が配合されている。
しかし、疎水性の高い非イオン性界面活性剤は水に配合しても分離しやすい。そこで、通常は、アニオン性界面活性剤やホウ素化合物を併用して、非イオン性界面活性剤の分散性を高めている。
【０００３】
このような漂白性組成物としては、例えば過酸化水素、金属キレート剤、陰イオン性界面活性剤、ノニオン界面活性剤、有機過酸前駆体からなる液体漂白剤組成物や（特許文献１）、過酸化水素、陰イオン性界面活性剤、非イオン性界面活性剤、ビスヒドロキシエチレンテレフタレートおよび／またはビスヒドロキシジエチレンテレフタレート、ホウ素化合物を含有する液体漂白剤組成物（特許文献２）が知られている。
特許文献１の発明によれば、貯蔵性に優れると共に、洗浄時には有機過酸を効率的に発生し、高い漂白効果を発現できる。
また、特許文献２の発明によれば、透明計量キャップに悪影響を与えることなく、高い漂白効果および安定性の長期間維持を発現できる。
【０００４】
近年、漂白性組成物は、シミなどの見た目の汚れを除去するだけでなく、部屋干しニオイなどのニオイに対する防臭目的で使用される場合が増えている。
洗濯後の衣料のニオイは主に衣料に付着した微生物が原因であるため、抗菌効果により衣料に付着した微生物の増殖を抑制できれば、ニオイを抑制できる。
【０００５】
殺菌成分としては、ビグアニド系化合物が知られており、例えば特許文献３、４には、ビグアニド系化合物と界面活性剤とを含有する殺菌剤が開示されている。
特許文献３、４の発明によれば、トイレの便器等の硬質表面を効果的に殺菌したり、硬質表面に抗菌性を付与したりすることができる。
【先行技術文献】
【特許文献】
【０００６】
【特許文献１】特開平９−１００４９２号公報
【特許文献２】特開２００７−３９５９７号公報
【特許文献３】特開２００３−５３１２４７号公報
【特許文献４】特開２００６−１４３６２０号公報
【発明の概要】
【発明が解決しようとする課題】
【０００７】
しかしながら、特許文献１、２に記載の液体漂白剤組成物は、漂白効果の向上が図れるものの、抗菌効果が不十分であった。
また、特許文献３、４の抗菌剤は、硬質表面の殺菌や、硬質表面への抗菌性の付与を目的としたものであり、衣料等の洗濯を想定していない。このため、特許文献３、４の発明を直ちに衣料用に採用することはできない。
【０００８】
ところで、抗菌剤はカチオン性である場合が多い。そのため、衣料等の洗濯を想定した抗菌剤を漂白性組成物に配合したとしても、アニオン性界面活性剤の併用によって非イオン性界面活性剤の分散性を維持している場合、抗菌剤が十分に分散しにくく、漂白性組成物の保存安定性が低下しやすかった。
加えて、カチオン性の抗菌剤は、綿などの親水性繊維に対しては吸着性を示すものの、ポリエステルなどの疎水性繊維に対しては吸着しにくく、抗菌効果が十分に発揮されないという問題もあった。
【０００９】
本発明は上記事情を鑑みてなされたものであり、保存安定性に優れるとともに、疎水性繊維に対して優れた抗菌効果を発揮できる衣料用液体漂白性組成物を提供することを目的とする。
【課題を解決するための手段】
【００１０】
本発明者らは鋭意検討した結果、過酸化水素とカチオン性の抗菌剤とを含有する漂白性組成物において、特定の非イオン性界面活性剤を用いることで、アニオン性界面活性剤を併用しなくても良好に分散でき、しかも該特定の非イオン性界面活性剤によって抗菌剤の分散性も向上することを見出した。さらに、特定の水溶性ポリマーを用いることで、疎水性繊維への抗菌剤の吸着力が高まることを見出し、本発明を完成するに至った。
【００１１】
すなわち、本発明の衣料用液体漂白性組成物は、過酸化水素（Ａ）と、ビグアニド塩化合物（Ｂ）と、下記（ｃ１）〜（ｃ３）よりなる群から選ばれる１種以上の非イオン性界面活性剤（Ｃ）と、アルキレンテレフタレート単位および／またはアルキレンイソフタレート単位と、オキシアルキレン単位とを有する水溶性ポリマー（Ｄ）とを含有することを特徴とする。
（ｃ１）：オキシエチレン基を除く炭素数が１２〜１６、ＨＬＢが１１．０以上のアルコールエトキシレート。
（ｃ２）：下記一般式（１）で表される、ＨＬＢが１１．０以上の化合物。
（ｃ３）：下記一般式（２）で表される化合物。
【００１２】
【化１】
2013116970.tif 000002
【００１３】
式（１）中、Ｒ１は炭素数１１〜１５の炭化水素基であり、Ｒ２は水素原子または炭素数１〜２の炭化水素基であり、ＥＯはオキシエチレン基であり、ｋはＥＯの平均付加モル数を示す。
【００１４】
【化２】
2013116970.tif 000003
【００１５】
式（２）中、Ｒ３は炭化水素基であり、Ｒ４は水素原子または炭素数１〜３の炭化水素基であり、−Ｘ−は−Ｏ−または−ＣＯＯ−であり、Ｒ３およびＸの炭素数の合計が８〜２２であり、ＥＯはオキシエチレン基であり、ＰＯはオキシプロピレン基であり、ｍはＥＯの平均付加モル数を示す５〜２５の数であり、ｎはＰＯの平均付加モル数を示す１〜５の数である。
【発明の効果】
【００１６】
本発明の衣料用液体漂白性組成物は、保存安定性に優れるとともに、疎水性繊維に対して優れた抗菌効果を発揮できる。
【図面の簡単な説明】
【００１７】
【図１】本発明の衣料用液体漂白性組成物を収納する容器の一例を示す正面図である。
【発明を実施するための形態】
【００１８】
以下、本発明を詳細に説明する。
本発明の衣料用液体漂白性組成物（以下、単に「漂白性組成物」という。）は、過酸化水素（Ａ）（以下、「（Ａ）成分」という。）と、ビグアニド塩化合物（Ｂ）（以下、「（Ｂ）成分」という。）と、特定の非イオン性界面活性剤（Ｃ）（以下、「（Ｃ）成分」という。）と、特定の水溶性ポリマー（Ｄ）（以下、「（Ｄ）成分」という。）とを含有する。
【００１９】
＜（Ａ）成分＞
（Ａ）成分は、過酸化水素である。
（Ａ）成分は、酸化力を有し、漂白性組成物の漂白効果を担うものである。
【００２０】
（Ａ）成分の含有量は、漂白性組成物１００質量％中、０．１質量％以上が好ましく、０．１〜５質量％がより好ましく、１〜５質量％が特に好ましい。（Ａ）成分の含有量が０．１質量％以上であれば、高い漂白効果が得られる。一方、（Ａ）成分の含有量が５質量％以下であれば、漂白性組成物の安定性を良好に維持できる。従って、得られる漂白性組成物を容器等に収納して保存したときに、容器が膨張するのを抑制でき、保存安定性が良好となる。
【００２１】
＜（Ｂ）成分＞
（Ｂ）成分は、ビグアニド塩化合物である。
（Ｂ）成分は、漂白性組成物の抗菌効果を担うものである。
【００２２】
（Ｂ）成分としては、例えば下記一般式（３）で表されるポリヘキサメチレンビグアニド化合物等のポリアルキレンビグアニド化合物が挙げられる。
【００２３】
【化３】
2013116970.tif 000004
【００２４】
式（３）中、ｑは２〜１４であり、１１〜１３が好ましく、１２がより好ましい。
ＨＹは有機酸または無機酸であり、塩酸、グルコン酸、酢酸が好ましく、塩酸がより好ましい。
【００２５】
（Ｂ）成分としては市販品を用いることができる。市販品としては、例えば上記一般式（３）のｑが１２である、ポリ（ヘキサメチレンビグアニド）塩酸塩、商品名Ｐｒｏｘｅｌ  ＩＢ（登録商標）が挙げられる。
【００２６】
（Ｂ）成分の含有量は、漂白性組成物１００質量％中、０．００１〜２質量％が好ましく、０．０１〜２質量％がより好ましい。（Ｂ）成分の含有量が０．００１質量％以上であれば、高い抗菌効果が得られる。一方、（Ｂ）成分の含有量が２質量％以下であれば、漂白性組成物中での分散性がより良好に維持され、漂白性組成物の保存安定性が向上する。
【００２７】
＜（Ｃ）成分＞
（Ｃ）成分は、下記（ｃ１）〜（ｃ３）よりなる群から選ばれる１種以上の非イオン性界面活性剤である。なお、下記（ｃ１）〜（ｃ３）に示す各化合物をそれぞれ「（ｃ１）成分」、「（ｃ２）成分」、「（ｃ３）成分」という。
（Ｃ）成分は、（Ａ）成分の汚れ（特に油性シミ汚れ）への浸透性を高め、漂白力を向上させるとともに、（Ｂ）成分の分散性を高める成分である。
【００２８】
（（ｃ１）成分）
（ｃ１）成分は、オキシエチレン基（ＥＯ）を除く炭素数が１２〜１６、ＨＬＢが１１．０以上のアルコールエトキシレートである。
ＥＯを除く炭素数が１２以上であれば、（Ａ）成分の汚れ（特に油性シミ汚れ）への浸透性を高めることができる。一方、ＥＯを除く炭素数が１６以下であれば、漂白性組成物中での分散性を維持できる。従って、アニオン性界面活性剤を併用しなくても、（ｃ１）成分が漂白性組成物中で良好に分散できる。ＥＯを除く炭素数は１２〜１４が好ましい。
また、ＨＬＢが１１．０以上であれば、（Ｂ）成分の分散性を高めることができ、漂白性組成物の保存安定性が向上する。ＨＬＢの上限値については特に制限されないが、１３．０以下であれば、漂白性組成物の漂白力が高まる。
【００２９】
なお、本発明における非イオン性界面活性剤のＨＬＢとは、Ｇｒｉｆｆｉｎの方法により求められた値である（吉田、進藤、大垣、山中共編、「新版界面活性剤ハンドブック」、工業図書株式会社、１９９１年、第２３４頁参照）。
【００３０】
（ｃ１）成分としては、例えば下記一般式（４）または下記一般式（５）で表される、ＨＬＢが１１．０以上の化合物が好ましい。
【００３１】
【化４】
2013116970.tif 000005
【００３２】
【化５】
2013116970.tif 000006
【００３３】
式（４）中、Ｒ５は炭素数１２〜１６の炭化水素基であり、ＥＯはオキシエチレン基であり、ｓはＥＯの平均付加モル数を示す。
炭化水素基としては、アルキル基、アルケニル基が挙げられ、直鎖状でも分岐を有するものでもよい。炭化水素基の炭素数は１２〜１４が好ましい。
アルキル基としては、例えばドデシル基、トリデシル基、テトラデシル基、ペンタデシル基、ヘキサデシル基等が挙げられる。
アルケニル基としては、例えばドデセニル基、トリデセニル基、テトラデセニル基、ペンタデセニル基、ヘキサデセニル基等が挙げられる。
【００３４】
ｓは、上記一般式（４）で表される化合物のＨＬＢが１１．０以上であれば特に限定されないが、６〜８の数であることが好ましい。ｓが６〜８の数であれば、Ｒ５の炭素数が１２〜１６の場合にＨＬＢが１１．０〜１３．０の範囲になり、保存安定性および漂白力に優れた漂白性組成物が得られやすくなる。
上記一般式（４）で表される化合物は、同一のＲ５で構成されていてもよいし、Ｒ５が異なるものの混合物であってもよい。
【００３５】
式（５）中、ＥＯはオキシエチレン基であり、ｘ、ｙはそれぞれメチレン基の数を示す１以上の数であり、ｘ＋ｙ＝９〜１３であり、ｚはＥＯの平均付加モル数を示す。
ｘ＋ｙは９〜１１であることが好ましい。
ｚは、上記一般式（５）で表される化合物のＨＬＢが１１．０以上であれば特に限定されないが、６〜８の数であることが好ましい。ｚが６〜８の数であれば、ｘ＋ｙ＝９〜１３の場合にＨＬＢが１１．０〜１３．０の範囲になり、保存安定性および漂白力に優れた漂白性組成物が得られやすくなる。
【００３６】
（（ｃ２）成分）
（ｃ２）成分は、下記一般式（１）で表される、ＨＬＢが１１．０以上の化合物である。
ＨＬＢが１１．０以上であれば、（Ｂ）成分の分散性を高めることができ、漂白性組成物の保存安定性が向上する。ＨＬＢの上限値については特に制限されないが、１３．０以下であれば、漂白性組成物の漂白力が高まる。
【００３７】
【化６】
2013116970.tif 000007
【００３８】
式（１）中、Ｒ１は炭素数１１〜１５の炭化水素基であり、Ｒ２は水素原子または炭素数１〜２の炭化水素基であり、ＥＯはオキシエチレン基であり、ｋはＥＯの平均付加モル数を示す。
Ｒ１において炭素数が１１以上であれば、（Ａ）成分の汚れ（特に油性シミ汚れ）への浸透性を高めることができる。一方、炭素数が１５以下であれば、漂白性組成物中での分散性を維持できる。従って、アニオン性界面活性剤を併用しなくても、（Ｃ）成分が漂白性組成物中で良好に分散できる。炭素数は１１〜１３が好ましい。
Ｒ１の炭化水素基としては、アルキル基、アルケニル基が挙げられ、直鎖状でも分岐を有するものでもよい。
アルキル基としては、例えばウンデシル基、ドデシル基、トリデシル基、テトラデシル基、ペンタデシル基等が挙げられる。
アルケニル基としては、例えばウンデセニル基、ドデセニル基、トリデセニル基、テトラデセニル基、ペンタデセニル基等が挙げられる。
【００３９】
Ｒ２の炭化水素基としては、アルキル基が挙げられ、具体的には、メチル基、エチル基が挙げられる。
なお、Ｒ１およびＲ２の炭素数の合計が１１〜１５であることが好ましい。
【００４０】
ｋは、上記一般式（１）で表される化合物のＨＬＢが１１．０以上であれば特に限定されないが、６〜８の数であることが好ましい。ｋが６〜８の数であれば、Ｒ１およびＲ２の炭素数の合計が１１〜１５の場合にＨＬＢが１１．０〜１３．０の範囲になり、保存安定性および漂白力に優れた漂白性組成物が得られやすくなる。
上記一般式（１）で表される化合物は、同一のＲ１およびＲ２で構成されていてもよいし、Ｒ１やＲ２が異なるものの混合物であってもよい。
【００４１】
（（ｃ３）成分）
（ｃ３）成分は、下記一般式（２）で表される化合物である。
【００４２】
【化７】
2013116970.tif 000008
【００４３】
式（２）中、Ｒ３は炭化水素基であり、Ｒ４は水素原子または炭素数１〜３の炭化水素基であり、−Ｘ−は−Ｏ−または−ＣＯＯ−であり、Ｒ３およびＸの炭素数の合計が８〜２２であり、ＥＯはオキシエチレン基であり、ＰＯはオキシプロピレン基であり、ｍはＥＯの平均付加モル数を示す５〜２５の数であり、ｎはＰＯの平均付加モル数を示す１〜５の数である。
【００４４】
Ｒ３としては、炭素数８〜２２の炭化水素基が好ましく、炭化水素基としては、アルキル基、アルケニル基が挙げられ、直鎖状でも分岐を有するものでもよい。
Ｒ３において炭素数が８以上であれば、（Ａ）成分の汚れ（特に油性シミ汚れ）への浸透性を高めることができる。一方、炭素数が２２以下であれば、他の成分との相溶性を良好に維持できる。炭素数は８〜１８がより好ましく、８〜１６が特に好ましい。
【００４５】
Ｒ４の炭化水素基としては、アルキル基が挙げられ、具体的には、メチル基、エチル基、プロピル基が挙げられる。
【００４６】
−Ｘ−が−Ｏ−の場合、上記一般式（２）で表される化合物はアルコールアルコキシレートである。−Ｘ−が−Ｏ−の場合、Ｒ３の炭素数は８〜２２が好ましく、Ｒ４は水素原子が好ましい。
−Ｘ−が−ＣＯＯ−の場合、上記一般式（２）で表される化合物は脂肪酸エステル型非イオン性界面活性剤である。−Ｘ−が−ＣＯＯ−の場合、Ｒ３の炭素数は９〜２１が好ましく、Ｒ４は炭素数１〜３のアルキル基が好ましい。
【００４７】
ｍが５以上であれば、漂白性組成物中での分散性を維持できる。従って、アニオン性界面活性剤を併用しなくても、（Ｃ）成分が漂白性組成物中で良好に分散できる。一方、ｍが２５以下であれば、保存安定性がより向上する。
ｎが１以上であれば（Ａ）成分の汚れ（特に油性シミ汚れ）への浸透性を高めることができる。一方、ｎが５以下であれば、保存安定性がより向上する。
なお、ＥＯとＰＯとは混在して配列していてもよく、（ＥＯ）ｍ／（ＰＯ）ｎは、ＥＯとＰＯとがランダム状に付加していてもよく、ブロック状に付加していてもよい。
【００４８】
上記一般式（２）で表される化合物は、ＨＬＢが１１．０〜１３．０であることが好ましい。ＨＬＢが１１．０以上であれば、（Ｂ）成分の分散性を高めることができ、漂白性組成物の保存安定性が向上する。一方、ＨＬＢが１３．０以下であれば、漂白性組成物の漂白力が高まる。
【００４９】
（（Ｃ）成分の含有量）
（Ｃ）成分の含有量は、漂白性組成物１００質量％中、０．５〜２０質量％が好ましく、１〜２０質量％がより好ましく、３〜１０質量％が特に好ましい。（Ｃ）成分の含有量が０．５質量％以上であれば、（Ａ）成分の汚れ（特に油性シミ汚れ）への浸透性を高め、漂白力を向上させることができる。加えて、（Ｂ）成分、（Ｄ）成分の漂白性組成物への分散性が向上するため保存安定性が向上する。さらに、（Ｂ）成分を均一に繊維に付着させることができるため、抗菌効果も発現しやすくなる。一方、（Ｃ）成分の含有量が２０質量％以下であれば、他の成分との配合バランスがとれ、特に、油性シミ汚れに対する漂白効果の向上が図れる。
【００５０】
＜（Ｄ）成分＞
（Ｄ）成分は、アルキレンテレフタレート単位および／またはアルキレンイソフタレート単位と、オキシアルキレン単位とを有する水溶性ポリマーである。
（Ｄ）成分は、汚れ（特に油性シミ汚れ）の洗浄液中での分散性を高め、油性シミ汚れに対する漂白力を向上させる成分である。また、（Ｄ）成分が繊維表面を覆うことで、（Ｂ）成分の繊維への吸着力が高まり、その結果、（Ｂ）成分の抗菌効果が十分に発現する。
【００５１】
ここで、「アルキレンテレフタレート単位および／またはアルキレンイソフタレート単位と、オキシアルキレン単位とを有する」とは、下記（ｄ１）単位を有し、かつ下記（ｄ２）単位を有することを意味する。
（ｄ１）単位：アルキレンテレフタレート単位およびアルキレンイソフタレート単位の一方あるいは両方。
（ｄ２）単位：オキシアルキレン単位。
【００５２】
なお、「単位」とはポリマー（重合体）を構成するモノマー単位を示す。
また、「水溶性ポリマー」とは、１０ｇの当該ポリマーを、４０℃の条件で、１０００ｇの水に添加し、１２時間、スターラー（太さ８ｍｍ、長さ５０ｍｍ、１Ｌビーカ）で２００ｒｐｍ攪拌したとき、完全に溶解するものと定義する。
以下、（ｄ１）単位と（ｄ２）単位について、それぞれ説明する。
【００５３】
（（ｄ１）単位）
（ｄ１）単位はアルキレンテレフタレート単位およびアルキレンイソフタレート単位の一方あるいは両方である。
アルキレンテレフタレート単位は、下記一般式（６）で表されるものである。
【００５４】
【化８】
2013116970.tif 000009
【００５５】
式（６）中、Ｒ６は炭素数１〜６のアルキレン基（低級アルキレン基）であり、炭素数が４以下であることが好ましく、特に炭素数が２〜４であることが好ましい。
【００５６】
アルキレンテレフタレート単位としては、エチレンテレフタレート単位、プロピレンテレフタレート単位、ｎ−ブチレンテレフタレート単位、イソブチレンテレフタレート単位、ｓｅｃ−ブチレンテレフタレート単位、ｔｅｒｔ−ブチレンテレフタレート単位、およびこれらの混合物等が挙げられる。これらの中でも、プロピレンテレフタレート単位が好ましい。
【００５７】
アルキレンイソフタレート単位は、下記一般式（７）で表されるものである。
【００５８】
【化９】
2013116970.tif 000010
【００５９】
式（７）中、Ｒ７は低級アルキレン基であり、式（６）中のＲ６のアルキレン基と同様のものが挙げられる。
【００６０】
アルキレンイソフタレート単位としては、エチレンイソフタレート単位、プロピレンイソフタレート単位、ｎ−ブチレンイソフタレート単位、ｓｅｃ−ブチレンテレフタレート単位、ｔｅｒｔ−ブチレンイソフタレート単位、およびこれらの混合物が挙げられる。これらの中でもプロピレンイソフタレート単位が好ましい。
【００６１】
（Ｄ）成分中、（ｄ１）単位から選ばれるものは１種または２種以上含まれていてもよい。
アルキレンテレフタレート単位とイソフタレート単位とは、通常、混合物で得られる。
【００６２】
（（ｄ２）単位）
（ｄ２）オキシアルキレン単位である。
オキシアルキレン単位は、一般式−(Ｒ８Ｏ)ｒ−で表すことができる。
式中、Ｒ８は低級アルキレン基であり、式（６）中のＲ６のアルキレン基と同様のものが挙げられ、エチレン基、プロピレン基、またはそれらの混合物が好ましい。
ｒは１以上の整数であり、好ましくは５〜１５０、さらに好ましくは１０〜１００である。
【００６３】
オキシアルキレン単位としては、例えばｒ＝１のオキシエチレン単位、オキシプロピレン単位；ｒが２以上のポリオキシエチレン単位、ポリオキシプロピレン単位、ポリオキシエチレンポリオキシプロピレン単位等が挙げられ、特にオキシエチレン単位またはポリオキシエチレン単位が好ましい。
【００６４】
（Ｄ）成分中、（ｄ２）単位から選ばれるものは１種または２種以上含まれていてもよい。
【００６５】
（Ｄ）成分は、これら必須の単位（（ｄ１）単位および（ｄ２）単位）以外の単位、例えば重合開始剤、重合停止剤等に由来する単位や、（ｄ１）単位および（ｄ２）単位と共重合可能なその他の単位を含んでいてもよいが、当該（Ｄ）成分を構成する全単位の合計の８０モル％以上、好ましくは９０モル％以上が、これら必須の単位によって構成されていることが好ましい。
【００６６】
（Ｄ）成分は、質量平均分子量が５００〜８０００であることが好ましい。この質量平均分子量の範囲で用いると、水への溶解分散性を向上させることができ、かつ疎水性繊維の油性シミ汚れの塗布漂白洗浄性能が十分に発現し、しかも漂白性組成物の液外観が良好で実使用上好ましい。
ここで質量平均分子量は、ＧＰＣ（ゲルパーミネーションクロマトグラフィー）で、溶媒：ＴＨＦ（テトラヒドロフラン）で測定した値を、ＰＥＧ（ポリエチレングリコール）を較正曲線に用いて換算した値である。
質量平均分子量の下限値は、８００以上であることがより好ましく、特に１０００以上であることが好ましい。質量平均分子量の上限値は、７０００以下であることがより好ましく、特に６０００以下であることが好ましい。
【００６７】
（Ｄ）成分は、例えば（ｄ１）単位と（ｄ２）単位とが、ランダムまたはブロックで重合している高分子化合物であることが好ましく、特にブロックで重合しているものが好ましい。
【００６８】
（Ｄ）成分の製造方法は、各種の文献、教科書および特許等に開示されている任意の方法が使用できる。
例えば、Ｊｏｕｒｎａｌ  ｏｆ  Ｐｏｌｙｍｅｒ  Ｓｃｉｅｎｃｅ，第３巻，６０９〜６３０ページ（１９４８年）、Ｊｏｕｒｎａｌ  ｏｆ  Ｐｏｌｙｍｅｒ  Ｓｃｉｅｎｃｅ，第８巻，１〜２２ページ（１９５１年）、特開昭６１−２１８６９９号公報記載の方法を用いてもよく、それ以外の方法を用いて製造してもよい。
【００６９】
（Ｄ）成分としては、Ｃｌａｒｉａｎｔ  ＧｍｂＨ社製の「ＴｅｘＣａｒｅＳＲＮ−１００（質量平均分子量３０００）」、「ＴｅｘＣａｒｅＳＲＮ−３００（質量平均分子量７０００）」として市販されているもの等が挙げられる。特に、水への溶解性が高く、従って透明感の高い漂白性組成物が得られることから、ＴｅｘＣａｒｅＳＲＮ−１００が好ましい。
【００７０】
好適な（Ｄ）成分として、上記ＴｅｘＣａｒｅＳＲＮ−１００、ＴｅｘＣａｒｅＳＲＮ−３００に対応する水溶性ポリマーの構造を下記一般式（８）に示す。なお、一般式（８）においてはテレフタレート単位を有するものを示しているが、（Ｄ）成分としては、イソフタレート単位であってもよく、テレフタレート単位とイソフタレート単位との混合物でも良い。
【００７１】
【化１０】
2013116970.tif 000011
【００７２】
式（８）中、Ｒ９およびＲ１０は、それぞれ独立に水素原子またはメチル基であり、メチル基が好ましい。
Ｒ１１は、炭素数２〜４のアルキレン基である。
Ｒ１２は、水素原子またはメチル基であり、メチル基が好ましい。
ｔは、１〜１００であり、好ましくは１〜８０、特に好ましくは１〜５０である。
ｕは、０〜１０であることが好ましく、より好ましくは０．５〜５であり、特に好ましくは０．５〜２．５である。
ｔおよびｕが上記範囲であると、性能が十分に発揮され、かつ水に対する溶解性が向上し、透明感の高い漂白性組成物が得られる。
【００７３】
また、上記一般式（８）において、下付き文字ｕが付された括弧内に示される部分構造が、下記一般式（９）に示す構造に置換されたものが含まれていてもよい。
【００７４】
【化１１】
2013116970.tif 000012
【００７５】
式（９）中、Ｒ１２およびｕは、式（８）中のＲ１２およびｕと同様である。
【００７６】
一般的に、液体中に高分子化合物を配合すると、その液体は増粘する傾向があるが、上述の様な（Ｄ）成分、特にＴｅｘＣａｒｅＳＲＮ−１００は、粘度調整剤としての機能を有しており、漂白性組成物の減粘効果を有する。その結果、漂白性組成物が衣類（特に疎水性繊維）へより浸透しやすくなり、抗菌効果や漂白力がより向上する。
【００７７】
（Ｄ）成分の含有量は、漂白性組成物１００質量％中、０．１〜１０質量％が好ましく、０．１〜５質量％がより好ましく、０．２〜３質量％が特に好ましい。（Ｄ）成分の含有量が０．１質量％以上であれば、（Ｄ）成分が繊維表面を十分に覆うので、（Ｂ）成分が疎水性繊維に対しても吸着し、抗菌効果を発現しやすくなる。一方、（Ｄ）成分の含有量が１０質量％以下であれば、漂白性組成物の保存安定性を良好に維持できる。
【００７８】
＜質量比＞
（Ｂ）成分と（Ｃ）成分の質量比（（Ｂ）成分／（Ｃ）成分）は、０．４以下であることが好ましく、０．２以下であることがより好ましい。（Ｂ）成分と（Ｃ）成分の質量比が０．４以下であれば、より良好な保存安定性と抗菌効果が得られる。（Ｂ）成分と（Ｃ）成分の質量比が０．４を超えると、（Ｂ）成分の漂白性組成物での分散性や、洗濯中における分散性が低下し、漂白性組成物の保存安定性や、洗濯後の衣料の抗菌効果が低減する場合がある。
【００７９】
また、（Ｂ）成分と（Ｄ）成分の質量比（（Ｂ）成分／（Ｄ）成分）は、５以下であることが好ましく、３以下であることがより好ましい。（Ｂ）成分と（Ｄ）成分の質量比が５以下であれば、より良好な抗菌効果が得られる。（Ｂ）成分と（Ｄ）成分の質量比が５を超えると、洗濯中における（Ｂ）成分の繊維への吸着量が減少するため、洗濯後の衣料の抗菌効果が低減する場合がある。
【００８０】
＜任意成分＞
本発明の漂白性組成物は、本発明の効果を阻害しない範囲内で、必要に応じて前記（Ａ）〜（Ｄ）成分を除く、以下の任意成分を含有できる。
【００８１】
（界面活性剤）
本発明の漂白性組成物においては、前記（Ｃ）成分を除く界面活性剤を用途に応じて配合してもよい。このような界面活性剤としては、アニオン性界面活性剤、カチオン性界面活性剤、非イオン性界面活性剤（ただし（Ｃ）成分を除く。）、両性界面活性剤、アミドアミン塩型界面活性剤などが挙げられる。
アニオン性界面活性剤としては、例えば直鎖もしくは分岐鎖状のアルキルベンゼンスルホン酸またはその塩、α−オレフィンスルホン酸塩、二級アルキルスルホン酸塩、直鎖または分岐鎖状のアルキル硫酸エステル塩、直鎖または分岐鎖状のアルキル基またはアルケニル基を有し、平均付加モル数０．５〜８モルのオキシエチレンが付加されたアルキルエーテル硫酸エステル塩またはアルケニルエーテル硫酸エステル塩、α−スルホ脂肪酸エステル塩；高級脂肪酸塩が挙げられる。
前記塩は、例えばナトリウム塩、カリウム塩等のアルカリ金属塩、マグネシウム塩等のアルカリ土類金属塩等が挙げられる。前記塩のうちでもアルカリ金属塩が好ましく、ナトリウム塩がより好ましい。
【００８２】
カチオン性界面活性剤としては、例えばモノ長鎖炭化水素型第４級アンモニウム塩、ジ長鎖炭化水素型第４級アンモニウム塩等の各種第４級アンモニウム塩等が挙げられる。
非イオン性界面活性剤としては、例えばアルキルフェノール、高級脂肪酸または高級アミン等のアルキレンオキサイド付加体、脂肪酸アルカノールアミン、脂肪酸アルカノールアミド、多価アルコール脂肪酸エステルまたはそのアルキレンオキサイド付加体、多価アルコール脂肪酸エーテル、アルキルアミンオキサイド、アルケニルアミンオキサイド、硬化ヒマシ油のアルキレンオキサイド付加体、糖脂肪酸エステル、Ｎ−アルキルポリヒドロキシ脂肪酸アミド、アルキルグリコシド等が挙げられる。
【００８３】
両性界面活性剤としては、例えばアルキルベタイン型、アルキルアミドベタイン型、イミダゾリン型、アルキルアミノスルホン型、アルキルアミノカルボン酸型、アルキルアミドカルボン酸型、アミドアミノ酸型またはリン酸型の両性界面活性剤等が挙げられる。
アミドアミン塩型界面活性剤としては、例えばカプリル酸ジメチルアミノプロピルアミド、カプリン酸ジメチルアミノプロピルアミド、ラウリン酸ジメチルアミノプロピルアミド、ミリスチン酸ジメチルアミノプロピルアミド、パルミチン酸ジメチルアミノプロピルアミド、ステアリン酸ジメチルアミノプロピルアミド、ベヘニン酸ジメチルアミノプロピルアミド、オレイン酸ジメチルアミノプロピルアミド等の長鎖脂肪族アミドアルキル３級アミンの塩；パルミチン酸ジエタノールアミノプロピルアミド塩、ステアリン酸ジエタノールアミノプロピルアミド塩等が挙げられる。
【００８４】
（漂白活性化剤）
漂白活性化剤としては、例えばテトラアセチルエチレンジアミン、ペンタアセチルグルコース、オクタノイルオキシベンゼンスルホン酸ナトリウム、ノナノイルオキシベンゼンスルホン酸ナトリウム、デカノイルオキシベンゼンスルホン酸ナトリウム、ウンデカノイルオキシベンゼンスルホン酸ナトリウム、ドデカノイルオキシベンゼンスルホン酸ナトリウム、オクタノイルオキシ安息香酸、ノナノイルオキシ安息香酸、デカノイルオキシ安息香酸、ウンデカノイルオキシ安息香酸、ドデカノイルオキシ安息香酸、オクタノイルオキシベンゼン、ノナノイルオキシベンゼン、デカノイルオキシベンゼン、ウンデカノイルオキシベンゼン、ドデカノイルオキシベンゼン等の有機過酸前駆体等が挙げられる。これらの中でも、ノナノイルオキシベンゼンスルホン酸ナトリウム、ドデカノイルオキシベンゼンスルホン酸ナトリウム、デカノイルオキシ安息香酸が好ましい。
これら漂白活性化剤は１種単独で用いてもよく、２種以上を併用してもよい。
漂白性組成物１００質量％中の漂白活性化剤の含有量は、漂白力の向上、保存安定性、経済性等の観点から、０．１〜５質量％が好ましく、０．１〜２質量％がより好ましい。
【００８５】
（キレート剤）
キレート剤は、Ｆｅ３＋およびＣｕ２＋に対するキレート安定化定数の対数値（ｌｏｇＫ）がそれぞれ１０以上であって、Ｃａ２＋に対するキレート安定化定数の対数値（ｌｏｇＫ）がそれぞれ５．５以上であるキレート剤である。Ｆｅ３＋およびＣｕ２＋に対するキレート安定化定数の対数値（ｌｏｇＫ）は、それぞれ１２以上が好ましい。
このようなキレート剤としては、例えばエタン−１，１−ジホスホン酸、エタン−１，１，２−トリホスホン酸塩、１−ヒドロキシエタン−１，１−ジホスホン酸、エタンヒドロキシ−１，１，２−トリホスホン酸、エタン−１，２−ジカルボキシ−１，２−ジホスホン酸、メタンヒドロキシホスホン酸、ニトリロトリメチレンホスホン酸、エチレンジアミンテトラキスメチレンホスホン酸等の有機ホスホン酸誘導体が挙げられる。これらの中でも、１−ヒドロキシエタン−１，１−ジホスホン酸、エチレンジアミンテトラキスメチレンホスホン酸が好ましく、１−ヒドロキシエタン−１，１−ジホスホン酸が特に好ましい。
１−ヒドロキシエタン−１，１−ジホスホン酸としては、市販品を用いることができ、例えばローディアジャパン社製の「フェリオックス１１５」；オルブライトウィルソン社製の「ＢＲＩＱＵＥＳＴ  ＡＤＰＡ」；キレスト社製の「キレストＰＨ−２１０」；モンサント社製の「ＤＥＱＵＥＳＴ  ２０１０」等が挙げられる。
【００８６】
（ラジカルトラップ剤成分）
ラジカルトラップ剤としては、好ましくはフェノール系ラジカルトラップ剤が使用される。特に、漂白性組成物のｐＨが５以上になると、上述のキレート剤の添加のみでは（Ａ）成分の分解を十分に抑制できない場合があるが、このような場合において、フェノール系ラジカルトラップ剤をキレート剤と共に使用することが好ましい。また、漂白性組成物を衣類に塗布後、長時間放置してしまった際等には、（Ａ）成分と反応性の高い金属等の成分により（Ａ）成分の異常分解が起こり、被洗濯物が損傷される場合もある。
かかる場合において、フェノール系ラジカルトラップ剤が漂白性組成物に添加されていると、被洗濯物の損傷を抑制することができる。
【００８７】
フェノール系ラジカルトラップ剤とは、フェノールおよびフェノール誘導体であり、前記フェノール誘導体としては、フェノール性のＯＨ基を有する化合物、フェノール性のＯＨ基のエステル誘導体、エーテル誘導体等が好ましく挙げられる。置換位置は、オルト位、メタ位、パラ位のいずれでもよい。中でも、フェノール性のＯＨ基を有する化合物がより好ましい。中でも、「Ｇ．Ｅ．Ｐｅｎｋｅｔｈ，Ｊ．Ａｐｐｌ．Ｃｈｅｍ」，７，５１２〜５２１頁（１９５７）に記載された酸化還元電位（Ｏ．Ｐ．）０が１．２５Ｖ以下の化合物が好ましく、０．７５Ｖ以下の化合物がより好ましい。これらの中でも、さらに好ましくは、ジメトキシフェノール、カテコール、ハイドロキノン、４−メトキシフェノール、ジブチルヒドロキシトルエン（ＢＨＴ）等が挙げられ、４−メトキシフェノールが特に好ましい。
漂白性組成物１００質量％中のラジカルトラップ剤の含有量は、（Ａ）成分の分解抑制効果や経済性等の観点から、０．０１〜６質量％とすることが好ましく、０．０５〜１質量％とすることがより好ましい。
【００８８】
（ｐＨ調整剤）
ｐＨ調整剤としては、例えば塩酸、硫酸、リン酸等の無機酸；ｐ−トルエンスルホン酸、クエン酸、ホスホン酸誘導体等の有機酸；ホウ酸ナトリウム、水酸化ナトリウム、水酸化カリウム、炭酸ナトリウム、炭酸水素ナトリウム、モノエタノールアミン、ジエタノールアミン、トリエタノールアミン、アンモニア等を使用できる。
詳しくは後述するが、本発明の漂白性組成物のｐＨは２〜７とすることが好ましく、所望のｐＨとなるように、各種ｐＨ調整剤を用いることができる。
【００８９】
（ハイドロトロープ剤）
ハイドロトロープ剤としては、例えばエタノール、１−プロパノール、２−プロパノール、１−ブタノール等のアルコール類；プロピレングリコール、ブチレングリコール、ヘキシレングリコール等のグリコール類；ジエチレングリコール、トリエチレングリコール、テトラエチレングリコール、質量平均分子量が約２００のポリエチレングリコール、質量平均分子量が約４００のポリエチレングリコール、ジプロピレングリコール等のポリグリコール類；ジエチレングリコールモノメチルエーテル、ジエチレングリコールジメチルエーテル等のアルキルエーテル類等の水混和性の有機溶剤、パラトルエンスルホン酸、安息香酸塩、尿素などを用いることができる。
ハイドロトロープ剤の含有量は、漂白性組成物１００質量％中、０．０１〜１５質量％であることが好ましい。
【００９０】
（無機塩類）
無機塩類としては、例えば塩化ナトリウム、塩化カリウム、硫酸ナトリウム、炭酸ナトリウム、炭酸カリウム等が使用できる。
【００９１】
（ホウ酸化合物）
ホウ酸化合物としては、例えばオルトホウ酸（Ｈ３ＢＯ３）；ホウ酸イオン（ＢＯ３３−）もしくは（ＢＯ４５−）がつくる塩、またはこれらが縮合した陰イオンの塩（縮合ホウ酸塩）等が挙げられる。
塩としては、ナトリウム塩、カリウム塩等のアルカリ金属塩；モノエタノールアミン塩、ジエタノールアミン塩等のアルカノールアミン塩；アンモニウム塩等が挙げられる。中でも、アルカリ金属塩が好ましく、ナトリウム塩、カリウム塩がより好ましい。
【００９２】
上述したホウ酸化合物の中でも特に好適なものとしては、オルトホウ酸、ホウ酸ナトリウム、ホウ酸カリウム、ホウ酸アンモニウム、四ホウ酸ナトリウム、四ホウ酸カリウム、四ホウ酸アンモニウム等が挙げられ、オルトホウ酸、四ホウ酸ナトリウムがより好ましい。
前記四ホウ酸ナトリウムとしては、例えば四ホウ酸ナトリウム・５水塩、四ホウ酸ナトリウム・１０水塩（ホウ砂）等の含水塩が特に好ましい。
これらホウ酸化合物は、１種を単独で用いてもよく、２種以上を併用してもよい。
【００９３】
漂白性組成物１００質量％中のホウ酸化合物の含有量は、特に限定されないが、０．２〜１０質量％が好ましく、１〜５質量％がより好ましい。ホウ酸化合物として四ホウ酸ナトリウムの含水塩を用いた場合の含有量は、四ホウ酸ナトリウム（Ｎａ２Ｂ４Ｏ７）換算で算出した濃度（すなわち、Ｎａ２Ｂ４Ｏ７量）を示す。
ホウ酸化合物の含有量が０．２質量％以上であれば、特に漂白性組成物の水性のシミ汚れに対する除去効率が向上する。一方、ホウ酸化合物の含有量が１０．０質量％以下であれば、漂白性組成物を洗剤組成物として用いた時の低温における保存安定性が向上する。
【００９４】
（ポリオール化合物）
ポリオール化合物は、隣り合う炭素原子の両方にそれぞれ１つずつヒドロキシ基を有する部位が１つ以上存在する化合物である。このような化合物の具体例としては、下記（１）〜（４）に示す化合物が好適であり、下記（１）〜（４）に示す化合物からなる群より選ばれる少なくとも１種を用いることが好ましい。
（１）：グリセリン、ジグリセリン、トリグリセリン、アルキル（炭素数１〜１０）ポリグリセリルエーテル（例えば、アルキル（炭素数１〜１０）ジグリセリルエーテル、アルキル（炭素数１〜１０）トリグリセリルエーテル）。
（２）：ソルビトール、マンニトール、マルチトース、イノシトール、及びフィチン酸から選ばれる糖アルコール類。
（３）：グルコース、アピオース、アラビノース、ガラクトース、リキソース、マンノース、ガロース、アルドース、イドース、タロース、キシロース、およびフルクトースから選ばれる還元糖類、及びこれらの誘導体（アルキル（ポリ）グリコシド等）。
（４）：デンプン、デキストラン、キサンタンガム、グアガム、カードラン、プルラン、アミロース、およびセルロースから選ばれる多糖類。
【００９５】
ポリオール化合物は、上述したホウ酸化合物と相乗的に作用して漂白性組成物の洗浄力を向上させる。ポリオール化合物の含有量は、漂白性組成物１００質量％中、０．３〜３５質量％であることが好ましく、１〜３０質量％であることがより好ましく、２〜２０質量％であることが特に好ましい。ポリオール化合物の含有量が上記範囲内であれば、漂白性組成物の洗浄力が向上する。
また、ポリオール化合物は、上述したホウ酸化合物とのモル比が、ポリオール化合物／ホウ酸化合物＝１〜１２となるように配合されるのが好ましく、より好ましくは１．５〜１０であり、さらに好ましくは１．５〜６であり、特に好ましくは２〜４である。ポリオール化合物とホウ酸化合物のモル比が上記範囲内であれば、優れたｐＨジャンプ効果が得られるようになる。さらに、（Ａ）成分や漂白活性化剤の安定性がより向上しやすくなるので、優れた漂白効果が得られやすくなる。
【００９６】
（香料）
漂白性組成物には、商品の付加価値向上等を目的として、香料を配合してもよい。
香料とは、香料原料単体、または香料原料、香料用溶剤、香料安定化剤等からなる混合物である香料組成物を含むものである。
漂白性組成物１００質量％中の香料の含有量は特に限定されないが、好ましくは０．０００１〜１５質量％、より好ましくは０．００１〜１０質量％とされる。
【００９７】
香料として使用される香料原料のリストは、様々な文献、例えば「Ｐｅｒｆｕｍｅ  ａｎｄ  Ｆｌａｖｏｒ  Ｃｈｅｍｉｃａｌｓ」，Ｖｏｌ．Ｉ  ａｎｄ  ＩＩ，Ｓｔｅｆｆｅｎ  Ａｒｃｔａｎｄｅｒ，Ａｌｌｕｒｅｄ  Ｐｕｂ．Ｃｏ．（１９９４）；「合成香料  化学と商品知識」、印藤元一著、化学工業日報社（１９９６）；「Ｐｅｒｆｕｍｅ  ａｎｄ  Ｆｌａｖｏｒ  Ｍａｔｅｒｉａｌｓ  ｏｆ  ＮａｔｕｒａｌＯｒｉｇｉｎ」，Ｓｔｅｆｆｅｎ  Ａｒｃｔａｎｄｅｒ，Ａｌｌｕｒｅｄ  Ｐｕｂ．Ｃｏ．（１９９４）；「香りの百科」、日本香料協会編、朝倉書店（１９８９）；「Ｐｅｒｆｕｍｅｒｙ  Ｍａｔｅｒｉａｌ  Ｐｅｒｆｏｒｍａｎｃｅ  Ｖ．３．３」，Ｂｏｅｌｅｎｓ  Ａｒｏｍａ  Ｃｈｅｍｉｃａｌ  Ｉｎｆｏｒｍａｔｉｏｎ  Ｓｅｒｖｉｃｅ（１９９６）；「Ｆｌｏｗｅｒ  ｏｉｌｓ  ａｎｄ  Ｆｌｏｒａｌ  Ｃｏｍｐｏｕｎｄｓ  Ｉｎ  Ｐｅｒｆｕｍｅｒｙ」，Ｄａｎｕｔｅ  Ｌａｊａｕｊｉｓ  Ａｎｏｎｉｓ，Ａｌｌｕｒｅｄ  Ｐｕｂ．Ｃｏ．（１９９３）等に記載されている。
【００９８】
香料用溶剤としては、例えばエタノール、アセチン（トリアセチン）、ＭＭＢアセテート（３−メトキシ−３−メチルブチルアセテート）、エチレングリコールジブチレート、ヘキシレングリコール、ジブチルセバケート、デルチールエキストラ（イソプロピルミリステート）、メチルカルビトール（ジエチレングリコールモノメチルエーテル）、カルビトール（ジエチレングリコールモノエチルエーテル）、ＴＥＧ（トリエチレングリコール）、安息香酸ベンジル、プロピレングリコール、フタル酸ジエチル、トリプロピレングリコール、アボリン（ジメチルフタレート）、デルチルプライム（イソプロピルパルミテート）、ジプロピレングリコールＤＰＧ−ＦＣ（ジプロピレングリコール）、ファルネセン、ジオクチルアジペート、トリブチリン（グリセリルトリブタノエート）、ヒドロライト−５（１，２−ペンタンジオール）、プロピレングリコールジアセテート、セチルアセテート（ヘキサデシルアセテート）、エチルアビエテート、アバリン（メチルアビエテート）、シトロフレックスＡ−２（アセチルトリエチルシトレート）、シトロフレックスＡ−４（トリブチルアセチルシトレート）、シトロフレックスＮｏ．２（トリエチルシトレート）、シトロフレックスＮｏ．４（トリブチルシトレート）、ドゥラフィックス（メチルジヒドロアビエテート）、ＭＩＴＤ（イソトリデシルミリステート）、ポリリモネン（リモネンポリマー）、プロピレングリコール、１，３−ブチレングリコール等が挙げられる。
香料組成物１００質量％中の香料用溶剤の含有量は、好ましくは０．１〜９９質量％、より好ましくは０．１〜１０％質量とされる。
【００９９】
香料安定化剤としては、ジブチルヒドロキシトルエン、ブチルヒドロキシアニソール、ビタミンＥとその誘導体、カテキン化合物、フラボノイド化合物、ポリフェノール化合物等が挙げられる。これらの中でも、ジブチルヒドロキシトルエンが好ましい。
香料組成物１００質量％中の香料安定化剤の含有量は、好ましくは０．０００１〜１０質量％、より好ましくは０．００１〜５質量％とされる。
【０１００】
＜漂白性組成物の物性＞
（ｐＨ）
漂白性組成物は、２５℃でのｐＨが２〜７であることが好ましい。ｐＨが上記範囲内であれば、漂白性組成物の保存安定性を良好に維持できる。ｐＨが７を超えると、各成分（特に（Ａ）成分）の分解が起こり、本発明の効果が十分に得られにくくなる場合がある。
漂白性組成物のｐＨは、上述したｐＨ調整剤により調整できる。
なお、漂白性組成物（２５℃に調温）のｐＨは、ｐＨメーター（東亜ディーケーケー株式会社製、「ＨＭ−３０Ｇ」）等により測定される値を示す。
【０１０１】
（粘度）
漂白性組成物は、２５℃での粘度が、１０〜３００ｍＰａ・ｓであることが好ましい。粘度が上記範囲内であれば、漂白性組成物をキャップ等に計りとるときのキャップ計量性を良好に維持できる。
漂白性組成物の粘度は、上述した無機塩類により調整できる。
なお、漂白性組成物（２５℃に調温）の粘度は、Ｂ型粘度計（東京計器株式会社製）等により測定される値を示す。
【０１０２】
＜漂白性組成物の製造方法＞
本発明の漂白性組成物の製造方法は特に制限されず、常法に準じて製造することができる。
例えば、前記（Ａ）〜（Ｄ）成分と、必要に応じて任意成分とを、各成分の純分換算量で所望の配合量になるように水（例えばイオン交換水など）等の溶媒に混合して溶解し、さらに必要に応じてｐＨ調整剤を用いて所定のｐＨになるように調整することにより、製造することができる。
【０１０３】
＜収納容器＞
漂白性組成物を収納する容器としては特に限定されず、一般的に用いられている容器に収納することができる。例えば、計量キャップを備えたノズル型容器や中栓型容器、自動計量機構または簡易計量機構を備えたスクイズ容器やポンプ容器、液を吹きかけるあるいは泡状に塗布するトリガー容器やスクイズ容器、液を塗りつける塗布面を持った塗布容器、詰め替え容器（パウチ、薄肉ボトル、付け替えボトル等）等が挙げられる。
本発明における漂白性組成物を収納する容器は特に規定しないが、過酸化水素製剤を収納する容器としては、例えば図１に示す容器が挙げられる。
【０１０４】
図１は、本発明の漂白性組成物を収納する容器の一例を示す正面図である。
図１に示す容器１は、容器本体３と、容器本体３の口部に螺合されたノズルキャップ部５と、ノズルキャップ部５に着脱自在に螺合された計量キャップ２とで概略構成されたものである。容器本体３は、平面視略円形の底部３ｂと、底部３ｂの周縁に立設された胴部３ａとからなる有底円筒状のものである。底部３ｂは、その中央部Ｑが、容器本体３内部に向かって窪んだ形状とされている。
計量キャップ２は、キャップ本体２ａとその下端側に形成されたネジ部２ｂとからなる一重構造の内嵌合式のキャップである。ノズルキャップ部５は図示されていないノズル部とキャップ本体とを備え、該キャップ本体の上端側に、ネジ部２ｂが螺合するネジ部が形成された外嵌合式のものである。
【０１０５】
ここで、容器本体３、ノズルキャップ部５、計量キャップ２の材質は、従来、漂白性組成物の収納容器として用いられるものであり、例えばポリエチレン、ポリプロピレン、ポリエチレンテレフタレートなどが挙げられる。
また、胴部３ａの平均肉厚は０．３５〜２．５０ｍｍが好ましく、底部３ｂのくぼみ深さＤは３〜９ｍｍが好ましい。
【０１０６】
漂白性組成物を収納する容器としては、図１に示す容器１に限定されず、例えば特開２００３−３３８９９７号公報、特開平１１−１００５９４号公報等に開示されているものでもよい。
【０１０７】
＜使用方法＞
本発明の漂白性組成物の使用方法は、漂白性組成物を洗濯時に被洗濯物と一緒に水に投入する方法、予め水に溶解しこれに被洗濯物を浸漬する方法等が挙げられる。
また、漂白性組成物を被洗濯物に塗布後、適宜放置し、その後、通常の洗濯を行ってもよい。
【０１０８】
＜作用効果＞
以上説明した本発明の漂白性組成物は、（Ｃ）成分を用いることで（Ｂ）成分の分散性が向上する。また、（Ｃ）成分はアニオン性界面活性剤を併用しなくても漂白性組成物中で良好に分散できる。よって、本発明の漂白性組成物は保存安定性に優れる。
加えて、（Ｄ）成分を用いることで、繊維への（Ｂ）成分の吸着力を高めることができ、（Ｂ）成分の効果が十分に発揮される。よって、本発明の漂白性組成物は疎水性繊維に対しても優れた抗菌効果を発揮できる。
特に、（Ｃ）成分としてＨＬＢが１３．０以下の非イオン性界面活性剤を用いれば、漂白性組成物の漂白力も向上する。
なお、本発明の漂白性組成物は、上述したようにアニオン性界面活性剤を含有しなくても、非イオン性界面活性剤である（Ｃ）成分が良好に分散しているが、本発明の効果を妨げない範囲内であれば、任意成分として上述したアニオン性界面活性剤を含有してもよい。
【実施例】
【０１０９】
以下、本発明を実施例により具体的に説明するが、本発明はこれら実施例に限定されるものではない。
【０１１０】
［使用原料］
（Ａ）成分として、以下に示す化合物を用いた。
・ａ−１：過酸化水素（三菱ガス化学株式会社製）。
【０１１１】
（Ｂ）成分として、以下に示す化合物を用いた。
・ｂ−１：ポリ（ヘキサメチレンビグアニド）塩酸塩、（アーチ・ケミカルズ・ジャパン株式会社製、「Ｐｒｏｘｅｌ  ＩＢ」）。
【０１１２】
（Ｃ）成分またはその代替品（（Ｃ’）成分）として、以下に示す化合物を用いた。なお、表中の配合量は純分としての値（質量％）を示す。
・ｃ１−１：天然アルコール（Ｃ１２／Ｃ１４＝７／３）に平均６モルのエチレンオキサイドを付加した非イオン性界面活性剤（ライオンケミカル株式会社製、「レオックスＣＬ−６０」、ＨＬＢ＝１１．６）、上記（ｃ１）に示す化合物に相当し、式（４）中、Ｒ５はドデシル基／テトラデシル基＝７／３、ｓ＝６。
・ｃ３−２：天然アルコール（Ｃ１２／Ｃ１４＝７／３）に４モルのエチレンオキサイドと２モルのプロピレンオキサイドをランダム付加させた後、８モルのエチレンオキサイドを付加させて得られた非イオン性界面活性剤（合成品）、上記（ｃ３）に示す化合物に相当し、式（２）中、Ｒ３はドデシル基／テトラデシル基＝７／３、Ｒ４は水素原子、−Ｘ−は−Ｏ−、ｍ＝１２、ｎ＝２、ＨＬＢ：１２．５である。
・ｃ２−３：ポリオキシエチレン脂肪酸（ラウリル）メチルエステル（平均エチレンオキサイド付加数９モル）（ライオンケミカル株式会社製、「レオファット  ＬＡ−９０−２５」、ＨＬＢ＝１２．９）、上記（ｃ２）に示す化合物に相当し、式（１）中、Ｒ１はウンデシル基、Ｒ２はメチル基、ｋ＝９である。
・ｃ１−４：天然アルコール（Ｃ１２／Ｃ１４＝７／３）に平均９モルのエチレンオキサイドを付加した非イオン性界面活性剤（ライオンケミカル株式会社製、「レオックスＣＬ−９０」、純分９０質量％品、ＨＬＢ＝１３．４）、上記（ｃ１）に示す化合物に相当、式（４）中、Ｒ５はドデシル基／テトラデシル基＝７／３、ｓ＝９。
・ｃ−５：天然アルコール（Ｃ１２／Ｃ１４＝７／３）に平均５モルのエチレンオキサイドを付加した非イオン性界面活性剤（ライオンケミカル株式会社製、「ＮＬＭＥ３−９０」、純分９０質量％品、ＨＬＢ＝１０．６）、上記（ｃ１）に示す化合物の代替品。
【０１１３】
（Ｄ）成分のアルキレンテレフタレート単位および／ またはアルキレンイソフタレート単位と、オキシアルキレン単位とを有する水溶性ポリマーとして、以下に示す化合物を用いた。
・ｄ−１：Ｃｌａｒｉａｎｔ  ＧｍｂＨ社製の「ＴｅｘＣａｒｅＳＲＮ−１００」。
【０１１４】
任意成分として、以下に示す化合物等を用いた。
・ＬＡＳ：直鎖アルキル（炭素数１０〜１４）ベンゼンスルホン酸（ライオン株式会社製、「ライポンＬＨ−２００（ＬＡＳ−Ｈ）」、純分９６質量％品）を、水酸化ナトリウムで中和したもの。表中の配合量は、直鎖アルキル（炭素数１０〜１４）ベンゼンスルホン酸ナトリウム塩としての値（質量％）を示す。
・ＨＥＤＰ：１−ヒドロキシエタン−１，１−ジホスホン酸（ローディアジャパン株式会社製、「フェリオックス１１５」）、Ｃａ２＋キレート定数＝６．５、Ｆｅ３＋キレート定数＝１６．２、Ｃｕ２＋キレート定数＝１２．５。
・ホウ酸化合物：四ホウ酸ナトリウム・５水塩（Ｂｏｒａｘ社製、「Ｎｅｏｂｏｒ」）。・ラジカルトラップ剤：４−メトキシフェノール（川口化学工業株式会社製、「ＭＱ−Ｆ」）。
・ＢＨＥＴ：ビスヒドロキシエチレンテレフタレート：（東京化成株式会社製）。
・香料：特開２００３−２６８３９８号公報の表７〜１４に記載の香料組成物Ａ。 
【０１１５】
＜評価＞
（保存安定性の評価）
漂白性組成物６００ｍＬを図１に示すプラスチック製の容器１に充填し、キャップを硬く閉め、５０℃の恒温室に１ヶ月間放置した。放置後の漂白性組成物の外観について下記評価基準で目視判定した。
なお、保存安定性の評価に用いた容器１の容器本体３、ノズルキャップ部５、計量キャップ２の材質等は以下の通りである。
容器本体３の材質は、高密度ポリエチレン（ライムポリマー株式会社製）９５質量％と、青色顔料（大日精化工業株式会社製、「ＰＥＭ−ＺＺ  １１Ｎ６２３２  ＧＮ  ブルー」）５質量％とからなり、胴部３ａの平均肉厚が１．０ｍｍ、底部３ｂのくぼみ深さＤ＝７．０ｍｍとされたものである。
ノズルキャップ部５の材質は、ポリプロピレン（プライムポリマー株式会社製）９６．０質量％と、青色顔料（大日精化工業株式会社製、「ＰＰ−Ｍ  ＺＺ  １１Ｎ５３１１  ＴＢＬ  ブルー」）４．０質量％とからなる。
計量キャップ２の材質は、ポリプロピレン（サンアロマー株式会社製）９５質量％と、緑色顔料（大日精化工業株式会社製、「ＰＰ−Ｍ  ＡＺ  ＭＬ  ５４７１（ＥＳＬ）  透明グリーン」）５質量％とからなる。
この容器１は、満注量が６８６ｍＬとされたものである。
【０１１６】
評価基準：
◎：液が透明であり、析出物や分離物は確認できない。
○：液は微濁であるが、析出物や分離物は確認できない。
×：液は白濁し、析出物や分離物が確認できる。
【０１１７】
（抗菌効果の評価）
漂白性組成物０．６ｇと、洗剤（ＪＡＦＥＴ標準洗剤、繊維製品新機能評価協議会指定洗剤）１．２ｇとを水道水９００ｍＬに添加して、洗浄液とした。
予めアルコール消毒したＵ．Ｓ．Ｔｅｓｔｉｎｇ社（米国）のＴｅｒｇ−Ｏ−Ｔｏｍｅｔｅｒを使用し、（１２０ｒｐｍ、２５℃）、滅菌済みの３ｃｍ角ポリエステル布０．４ｇを滅菌したメリヤス布と共に入れ、浴比を２０倍とし、１２０ｒｐｍ、２５℃の条件下で洗浄した。１０分間洗浄し、次いで１分間脱水し、水道水９００ｍＬで２分間すすぎを行い、１分間脱水した。洗浄した３ｃｍ角ポリエステル布をクリーンベンチで、２４時間、室温にて乾燥し、試験布とした。
この試験布について、ＪＩＳ  Ｌ１９０２（繊維製品の抗菌性試験方法・抗菌効果）の定量試験法（菌液吸収法）に準じ、下記（ｉ）式により静菌活性値を求めた。
【０１１８】
静菌活性値＝（Ｍｂ−Ｍａ）−（Ｍｄ−Ｍｃ）    ・・・（ｉ）
Ｍａ：試験菌接種直後の標準布の３検体の生菌数の常用対数値の平均値。
Ｍｂ：試験菌接種後の標準布の３５℃、１８時間培養後の３検体の生菌数の常用対数値の平均値。
Ｍｃ：試験菌接種直後の試験布の３検体の生菌数の常用対数値の平均値。
Ｍｄ：試験菌接種後の試験布の３５℃、１８時間培養後の３検体の生菌数の常用対数値の平均値。
標準布：未洗浄の滅菌済みの３ｃｍポリエステル布。
試験菌：黄色ブドウ球菌。
【０１１９】
（漂白試験）
ミートソース(キユーピー株式会社製) の固形分をメッシュで除去した後、得られた液を煮沸するまで加熱した。この液に平織り木綿布を浸し、約１５分間煮沸した。そのまま火からおろして約２時間程度放置した後、木綿布を取り出し、余分に付着しているミートソース液をヘラで除去し、自然乾燥させた。その後、洗液に色が付かなくなるまで水洗し、脱水、アイロンプレスし、２×２ｃｍの大きさに切断して、食べこぼしシミで汚染された試験片とした。
この試験片５枚に、漂白性組成物を１枚あたり０．１２ｍＬずつ塗布し、５分間放置した後、市販の洗剤（ライオン株式会社製、「トップ」、ロット番号：１０１１１７Ｓ６Ａ）を標準使用濃度（６６７ｐｐｍ）になるように水で希釈して調製した洗剤溶液（液温２０℃）を加え、ターゴトメータを用いて１０分間攪拌した。その後、水道水ですすぎ、乾燥し、試験片を漂白処理した。
原布（汚染前の木綿布）と、漂白処理前後の試験片の反射率を測色色差計（日本電色工業株式会社製、「ＳＥ２０００」）を用いて測定し、下記（ii）式より漂白率を求めた。
漂白率（％）＝｛（漂白処理後の試験片の反射率−漂白処理前の試験片の反射率）／（原布の反射率−漂白処理前の試験片の反射率）｝×１００    ・・・（ii）
【０１２０】
［実施例１〜１６、比較例１〜４］
表１、２に示す組成に従い、イオン交換水以外の各原料（未配合原料がある場合、その原料は配合しない。）をビーカに投入し、全体量（最終の全体量を１００質量％とする。）が９３質量％になるようにイオン交換水を入れて撹拌した。その後、ｐＨ調整剤（硫酸または水酸化ナトリウム）を適量添加してｐＨを調整し、全体量が１００質量％になるように残りのイオン交換水を加えてバランスし、各例の漂白性組成物を製造した。
ｐＨ測定は、漂白性組成物を２５℃に調整し、ｐＨメーター（東亜ディーケーケー株式会社製、「ＨＭ−３０Ｇ」）を用いて測定した。測定方法は、ＪＩＳ  Ｋ３３６２−１９９８に準拠して行った。
得られた各例の漂白性組成物について、保存安定性、抗菌効果の評価、および漂白試験を行った。これらの結果を表１、２に示す。
なお、表１、２中の配合量の単位は質量％であり、純分換算量を示す。また、バランス量のイオン交換水とは、最終生成物である漂白性組成物の総量（全体量）が１００質量％になるように配合量を調整したイオン交換水のことである。
【０１２１】
【表１】
2013116970.tif 000013
【０１２２】
【表２】
2013116970.tif 000014
【０１２３】
表１、２から明らかなように、各実施例で得られた漂白性組成物は、いずれも保存安定性に優れるとともに、疎水性繊維（ポリエステル布）に対して優れた抗菌効果を発揮できた。また、実施例で得られた漂白性組成物は、漂白力も有していた。特に、（Ｃ）成分としてＨＬＢが１３．０以下である非イオン性界面活性剤（ｃ１−１、ｃ３−２、ｃ２−３）を用いた実施例１〜９、１１〜１６の場合は、高い漂白力を示した。
なお、質量比（Ｂ／Ｃ）が０．４を超える実施例１５の場合、抗菌効果が他の実施例に比べると若干劣っていた。また、質量比（Ｂ／Ｄ）が５を超える実施例１６の場合、抗菌効果が他の実施例に比べると若干劣っていた。
【０１２４】
一方、（Ｂ）成分を含有しない比較例１で得られた漂白性組成物は、静菌活性値が０であり、抗菌効果を有していなかった。
ＨＬＢが１１．０未満である非イオン性界面活性剤（ｃ−５）を用いた比較例２で得られた漂白性組成物は、（Ｂ）成分が分離してしまい、保存安定性に劣っていた。そのため、抗菌効果の評価および漂白試験を行うことができなかった。
（Ｄ）成分の代わりにＢＨＥＴを用いた比較例３で得られた漂白性組成物、および（Ｄ）成分を含有しない比較例４で得られた漂白性組成物は、静菌活性値が低く、抗菌効果に劣っていた。
【０１２５】
以上の結果から、本発明の漂白性組成物は、（Ａ）〜（Ｄ）成分を含有することで、保存安定性に優れるとともに、疎水性繊維に対して優れた抗菌効果を発揮できることが示された。
【符号の説明】
【０１２６】
１：容器、２：計量キャップ、２ａ：キャップ本体、２ｂ：ネジ部、３：容器本体、３ａ：胴部、３ｂ：底部、５：ノズルキャップ部、Ｄ：くぼみ深さ、Ｑ：中央部。
【図１】
2013116970.tif 000019